(57)【特許請求の範囲】
【請求項１】
表示部と、
前記表示部に表示される背景画像、およびアプリケーションの動作に応じたアプリ画像を制御する制御部とを備え、オーディオ一体型カーナビゲーションシステムに適用される表示装置であって、
前記制御部は、
前記背景画像よりも前記アプリ画像を優先表示する指示が行われたと判定した場合、前記背景画像を非表示にし、少なくともアプリケーションの操作系ボタン画像またはアイコンからなるメニュー画面の画像を含んだアプリ画像を前記表示部に表示することで、前記アプリ画像を前記背景画像に優先して前記表示部に表示するように制御し、一方、前記アプリ画像が前記背景画像に優先して前記表示部に表示されている状態で、前記背景画像を優先表示する指示が行われたと判定した場合、少なくともアプリケーションの操作系ボタン画像またはアイコンからなるメニュー画面の画像を含まず、前記アプリ画像の内容を要約した縮小画像であって、前記背景画像を優先表示した後も動作する前記アプリケーションの現在の動作情報を示すものとして継続して変化する縮小画像を前記背景画像上に重ねて表示することで、前記背景画像を前記アプリ画像に優先して前記表示部に表示するように制御する画像優先表示制御手段を備えたことを特徴とする表示装置。
【請求項２】
前記画像優先表示制御手段は、
前記アプリ画像に含まれる所定の指示画像が操作された場合、前記背景画像を優先表示する指示が行われたと判定することを特徴とする請求項１に記載の表示装置。
【請求項３】
前記画像優先表示制御手段は、
前記アプリケーションの動作状況および／または当該アプリケーションに対するユーザの操作状況を監視する監視手段を備え、
前記監視手段による監視結果に基づいて前記背景画像を優先表示する指示が行われたと判定することを特徴とする請求項１に記載の表示装置。
【請求項４】
前記画像優先表示制御手段は、
前記アプリケーションに対するユーザの無操作状態が所定時間継続した場合、前記背景画像を優先表示する指示が行われたと判定することを特徴とする請求項３に記載の表示装置。
【請求項５】
前記画像優先表示制御手段は、
前記背景画像が前記アプリ画像に優先して前記表示部に表示されている状態で、前記アプリ画像を優先表示する指示が行われたと判定した場合、前記アプリ画像を前記背景画像に優先して前記表示部に表示するように制御することを特徴とする請求項１から４のいずれか一つに記載の表示装置。
【請求項６】
前記表示部は、タッチパネルを備え、
前記画像優先表示制御手段は、前記タッチパネルが操作された場合、前記アプリ画像を優先表示する指示が行われたと判定することを特徴とする請求項５に記載の表示装置。
【請求項７】
前記アプリケーションがナビゲーションアプリであって、
前記画像優先表示制御手段は、
前記ナビゲーションアプリの動作状況に基づいて前記アプリ画像を優先表示する指示が行われたと判定することを特徴とする請求項５に記載の表示装置。
【請求項８】
前記アプリケーションがオーディオアプリであって、
前記画像優先表示制御手段は、
前記オーディオアプリの動作状況に基づいて前記アプリ画像を優先表示する指示が行われたと判定することを特徴とする請求項５に記載の表示装置。
【請求項９】
押しボタンからなる入力手段を備え、
前記画像優先表示制御手段は、前記入力手段が操作された場合、前記アプリ画像を優先表示する指示が行われたと判定することを特徴とする請求項５に記載の表示装置。
【発明の詳細な説明】
【０００１】
【発明の属する技術分野】
この発明は、表示部に表示される画像（いわゆる壁紙のことであり、以下、適宜「観賞画像」という。）およびアプリケーションの動作に応じて表示部に表示されるアプリ画像（例えば、操作系ボタンやアイコン、ナビゲーション画面、オーディオ画面など）の表示を制御する表示装置に関し、特に、ユーザが快適に観賞画像（壁紙）を楽しむことが可能な表示制御装置、表示制御方法および表示制御プログラムに関する。さらに、ユーザが観賞画像（壁紙）によって利便性を損なわれることなくアプリケーションを利用することも可能な表示装置に関する。
【０００２】
【従来の技術】
従来より、パーソナルコンピュータや携帯電話、カーナビゲーションシステムなどの情報処理装置では、ユーザが作成または取得した画像データを壁紙として設定表示することが一般的に行われている。すなわち、ユーザが設定した壁紙（観賞用として表示部に表示される観賞画像）を背景にして、各種アプリケーションの操作系ボタンやアイコンなど（アプリケーションの動作に応じて表示部に表示されるアプリ画像）を表示している。
【０００３】
なお、特許文献１（特開２００２−２４３４６８号公報）に開示されたカーナビゲーションシステムでは、あらかじめユーザがナビゲーション画面上に表示したいランドマーク（コンビニ、ガソリンスタンド、銀行などの道案内の指標にとなる各種施設）の種類を設定しておき、ナビゲーション画面上に表示／非表示の指示を入力するためのボタンを設定する。そして、ナビゲーション画面上にランドマークが非表示されている場合には、画面上に設定された表示指示ボタンを押下することにより、ランドマークが表示され、ナビゲーション画面上にランドマークが表示されている場合には、画面上に設定された非表示指示ボタンを押下することによりランドマークが非表示される。すなわち、表示／非表示ボタンの押下に応じて、ナビゲーション画面上のランドマークを表示／非表示にしている。
【０００４】
【特許文献１】
特開２００２−２４３４６８号公報
【０００５】
【発明が解決しようとする課題】
しかしながら、上記の従来技術では、ユーザが設定した壁紙の大部分が操作系ボタンやアイコンなどによって隠れてしまうことがあり、そのような状況では画像の見栄えも悪くなるため、ユーザは壁紙を設定する喜びを得られなかった。また、特許文献１に記載の従来技術の場合にも、ディスプレイに表示されている表示内容がランドマークによって隠れてしまうという問題があった。
【０００６】
そこで、この発明は、上述した従来技術による課題を解決するためになされたものであり、ユーザが快適に観賞画像（壁紙）を楽しむことができる表示装置を提供することを目的とする。
【０００７】
さらに、この発明は、ユーザが観賞画像（壁紙）によって利便性を損なわれることなくアプリケーションを利用することもできる表示装置を提供することを目的とする。
【０００８】
【課題を解決するための手段】
上述した課題を解決し、目的を達成するため、請求項１に係る発明は、表示部と、前記表示部に表示される背景画像、およびアプリケーションの動作に応じたアプリ画像を制御する制御部とを備え、オーディオ一体型カーナビゲーションシステムに適用される表示装置であって、前記制御部は、前記背景画像よりも前記アプリ画像を優先表示する指示が行われたと判定した場合、前記背景画像を非表示にし、少なくともアプリケーションの操作系ボタン画像またはアイコンからなるメニュー画面の画像を含んだアプリ画像を前記表示部に表示することで、前記アプリ画像を前記背景画像に優先して前記表示部に表示するように制御し、一方、前記アプリ画像が前記背景画像に優先して前記表示部に表示されている状態で、前記背景画像を優先表示する指示が行われたと判定した場合、少なくともアプリケーションの操作系ボタン画像またはアイコンからなるメニュー画面の画像を含まず、前記アプリ画像の内容を要約した縮小画像であって、前記背景画像を優先表示した後も動作する前記アプリケーションの現在の動作情報を示すものとして継続して変化する縮小画像を前記背景画像上に重ねて表示することで、前記背景画像を前記アプリ画像に優先して前記表示部に表示するように制御する画像優先表示制御手段を備えたことを特徴とする特徴とする。
【０００９】
この発明によれば、アプリ画像が観賞画像に優先して表示部に表示されている場合に、観賞画像を優先表示する旨の指示を受け付け、観賞画像をアプリ画像に優先して表示部に表示するように制御する。したがって、ユーザによる任意の指示操作に応じて観賞画像（壁紙）を優先表示することによって、ユーザは快適に観賞画像（壁紙）を楽しむことが可能になる。
また、この発明によれば、鑑賞画像をアプリ画像に優先して表示部に表示する場合、少なくともアプリケーションの操作系ボタン画像またはアイコンからなるメニュー画面の画像を非表示にし、アプリ画像の内容を要約した縮小画像であって、背景画像を優先表示した後も動作するアプリケーションの現在の動作情報を示すものとして継続して変化する縮小画像を背景画像上に重ねて表示する。したがって、操作系ボタンやアイコン、メニュー画面の画像を画面上から隠すことによって、ユーザは観賞画像（壁紙）を快適に観賞することが可能になるともに、アプリケーションの現在の動作状況を把握しつつ、背景画像を快適に鑑賞することが可能になる。
【００１０】
また、請求項２に係る発明は、上記の発明において、前記画像優先表示制御手段は、前記アプリ画像に含まれる所定の指示画像が操作された場合、前記背景画像を優先表示する指示が行われたと判定することを特徴とする。
【００１１】
この発明によれば、アプリ画像に含まれる所定の指示画像が指示された場合に、観賞画像をアプリ画像に優先して表示部に表示する指示が行われたと判定する。したがって、ユーザはアプリケーションに対して操作指示する要領で、簡便に観賞画像（壁紙）を優先表示させることが可能になる。
【００１２】
また、請求項３に係る発明は、上記の発明において、前記画像優先表示制御手段は、前記アプリケーションの動作状況および／または当該アプリケーションに対するユーザの操作状況を監視する監視手段を備え、前記監視手段による監視結果に基づいて前記背景画像を優先表示する指示が行われたと判定することを特徴とする。
【００１３】
この発明によれば、アプリケーションの動作状況および／または当該アプリケーションに対するユーザの操作状況を監視し、かかる動作状況および／または操作状況の監視結果に基づいて、観賞画像またはアプリ画像のいずれかを表示部に優先して表示する指示が行われたと判定する。したがって、アプリ画像（例えば、操作系ボタンやアイコン、ナビゲーション画面、オーディオ画面など）を表示する必要がある場合には、アプリ画像を優先表示するが、これを表示する必要が特にない場合には、観賞画像（壁紙）を優先表示することによって、ユーザは快適に観賞画像（壁紙）を楽しむことが可能になるとともに、ユーザは観賞画像（壁紙）によって利便性を損なわれることなくアプリケーションを利用することも可能になる。
【００１４】
また、請求項４に係る発明は、上記の発明において、前記画像優先表示制御手段は、前記アプリケーションに対するユーザの無操作状態が所定時間継続した場合、前記背景画像を優先表示する指示が行われたと判定することを特徴とする。
【００１５】
この発明によれば、アプリケーションに対するユーザの無操作状態が所定時間継続した場合に、観賞画像をアプリ画像に優先して表示部に表示する指示が行われたと判定する。したがって、無操作状態が所定時間継続した状況をアプリ画像の表示が不要な状況であるとして、観賞画像（壁紙）を優先表示することによって、ユーザは快適に観賞画像（壁紙）を観賞することが可能になる。
【００２０】
また、請求項５に係る発明は、上記の発明において、前記画像優先表示制御手段は、前記背景画像が前記アプリ画像に優先して前記表示部に表示されている状態で、前記アプリ画像を優先表示する指示が行われたと判定した場合、前記アプリ画像を前記背景画像に優先して前記表示部に表示するように制御することを特徴とする。
【００２１】
この発明によれば、観賞画像がアプリ画像に優先して表示部に表示されている状態で、アプリ画像を優先表示する指示が行われたと判定した場合に、アプリ画像を観賞画像に優先して表示部に表示するように制御する。したがって、ユーザによる任意の指示操作に応じてアプリ画像（例えば、操作系ボタンやアイコン、ナビゲーション画面、オーディオ画面など）を表示することによって、ユーザは観賞画像（壁紙）によって利便性を損なうことなくアプリケーションを利用することが可能になる。
【００２２】
また、請求項６に係る発明は、上記の発明において、前記表示部は、タッチパネルを備え、前記画像優先表示制御手段は、前記タッチパネルが操作された場合、前記アプリ画像を優先表示する指示が行われたと判定することを特徴とする。
【００２３】
この発明によれば、タッチパネルが操作された場合、アプリ画像を優先表示する指示が行われたと判定する。したがって、タッチパネルを一度タッチすればアプリ画像を優先表示させることができ、ユーザの操作が簡便となり、かつ早急にアプリ画像を優先表示することが可能になる。
【００２４】
また、請求項７に係る発明は、上記の発明において、前記アプリケーションがナビゲーションアプリであって、前記画像優先表示制御手段は、前記ナビゲーションアプリの動作状況に基づいて前記アプリ画像を優先表示する指示が行われたと判定することを特徴とする。
【００２５】
この発明によれば、アプリケーションがナビゲーションアプリであって、ナビゲーションアプリの動作状況に基づいてアプリ画像を鑑賞画像に優先して表示部に表示するように制御する。したがって、例えば、自動車がナビゲーションによるルートを外れた状況やルートの分岐点（交差点）に差し掛かった状況などをアプリ画像（ナビゲーション画面）の表示が必要な状況であるとして、アプリ画像（ナビゲーション画面）を優先表示することによって、ユーザはアプリケーションを快適に利用することが可能になる。
【００２６】
また、請求項８に係る発明は、上記の発明において、前記アプリケーションがオーディオアプリであって、前記画像優先表示制御手段は、前記オーディオアプリの動作状況に基づいて前記アプリ画像を優先表示する指示が行われたと判定することを特徴とする。
【００２７】
この発明によれば、アプリケーションがオーディオアプリであって、オーディオアプリの動作状況に基づいてアプリ画像を鑑賞画像に優先して表示部に表示するように制御する。したがって、例えば、音楽ＣＤの曲間に差し掛かった状況や音楽ＣＤの全曲再生が終了した状況などをアプリ画像（オーディオ画面）の表示が必要な状況であるとして、アプリ画像（オーディオ画面）を優先表示することによって、ユーザはアプリケーションを快適に利用することが可能になる。
【００２８】
また、請求項９に係る発明は、上記の発明において、押しボタンからなる入力手段を備え、前記画像優先表示制御手段は、前記入力手段が操作された場合、前記アプリ画像を優先表示する指示が行われたと判定することを特徴とする。
【００２９】
この発明によれば、押しボタンが操作された場合、アプリ画像を優先表示する指示が行われたと判定する。したがって、押しボタンを一度操作すればアプリ画像を優先表示させることができ、ユーザの操作が簡便となり、かつ早急にアプリ画像を優先表示することが可能になる。
【００３０】
【発明の実施の形態】
以下に添付図面を参照して、この発明に係る表示制御装置、表示制御方法および表示制御プログラムの好適な実施の形態を詳細に説明する。なお、以下では、本発明をオーディオ一体型カーナビゲーションシステム（ＡＶＮシステム）に適用した場合を実施の形態として掲げ、本実施の形態で用いる主要な用語（１：用語の説明）、本実施の形態に係るＡＶＮシステムの概要および特徴（２：ＡＶＮシステムの概要および特徴）、ＡＶＮシステムの構成および処理の流れ（３：ＡＶＮシステムの構成、４：ＡＶＮシステムによる処理）を順に説明し、最後に本実施の形態に対する種々の変形例（５：他の実施の形態）を説明する。
【００３１】
［１：用語の説明］
まず最初に、本実施の形態で用いる主要な用語を説明する。本実施の形態で用いる「壁紙や観賞画像（特許請求の範囲に記載の「画像」に対応する。）」とは、観賞用として表示部に表示される画像のことを指し、具体的には、図４（ａ）などに示すように、ユーザが自ら作成した画像や、ネットワークを通じて取得した画像、画像メディア（ＣＤやＤＶＤなど）から入力した画像などがこれに該当する。
【００３２】
また、本実施の形態で用いる「アプリ画像（特許請求の範囲に記載の「アプリ画像」に対応する。）」とは、アプリケーションの動作に応じて表示部に表示される画像のことを指し、具体的には、図３に示すように、各種アプリケーションを起動するための操作系ボタンやアイコンからなるメニュー画面の画像（同図（ａ）参照）、カーナビゲーションアプリ（アプリケーションの一つ）の動作状況を表すナビゲーション画面の画像（同図（ｂ）参照）、カーオーディオアプリ（アプリケーションの一つ）の動作状況を表すミュージック画面の画像（同図（ｃ）参照）などがこれに該当する。
【００３３】
なお、本実施の形態で用いる「画像」とは、いわゆる静止画像だけでなく、動画画像も含み、また、いわゆる写真やグラフィックのみからなる画像だけでなく、文字のみからなる画像や文字を含んだ画像も含み、換言すれば、モニタやディスプレイ、タッチパネルといった表示画面に表示されるあらゆる情報（データ）がこれに該当する。
【００３４】
［２：ＡＶＮシステムの概要および特徴］
次に、図１を用いて、本実施の形態に係るＡＶＮシステム（オーディオ一体型カーナビゲーションシステム）の概要および特徴を説明する。図１は、本実施の形態に係るＡＶＮシステムの構成を示すブロック図である。概略的には、同図に示すＡＶＮシステム１０は、自動車に搭載されて各種アプリケーション（例えば、カーナビゲーションアプリやカーオーディオアプリなど）を処理する情報処理装置である。
【００３５】
そして、このＡＶＮシステム１０では、アプリケーションの動作に応じてアプリ画像を出力部１２（モニタ、ディスプレイまたはタッチパネル）に表示する。すなわち、例を挙げれば、図３（ａ）に示すような各種アプリケーションのメニュー画面や、同図（ｂ）に示すようなカーナビゲーションアプリの動作に応じたナビゲーション画面、同図（ｃ）に示すようなカーオーディオアプリの動作に応じたミュージック画面などをユーザに対して表示する。
【００３６】
また、かかるＡＶＮシステム１０では、観賞用としての壁紙（観賞画像）も出力部１２に表示する。すなわち、例を挙げれば、図４（ａ）に示すように、ユーザ自らが作成した画像を壁紙として設定した場合には、これをユーザに対して壁紙として表示する。
【００３７】
ここで、本実施の形態における主たる特徴を簡単に説明すると、上記したような概略において、本実施の形態に係るＡＶＮシステム１０は、上記した「壁紙」および「アプリ画像」の表示を制御する処理に主たる特徴があり、具体的には、ユーザが快適に「壁紙」を楽しむことができるとともに、ユーザが「壁紙」によって利便性を損なわれることなくアプリケーションを利用することもできるようにしている点に主たる特徴がある。
【００３８】
すなわち、本実施の形態に係るＡＶＮシステム１０では、「アプリ画像（例えば、操作系ボタンやアイコン、ナビゲーション画面、オーディオ画面など）」を表示する必要がある場合（図２（ｂ）に示す「アプリ画像優先条件」を満たす場合）には、図３に示すように、「壁紙」よりも「アプリ画像」を優先してユーザに表示する。その一方で、「アプリ画像」を表示する必要が特にない場合（図２（ａ）に示す「壁紙優先条件」を満たす場合）には、図４に示すように、「アプリ画像」よりも「壁紙」を優先してユーザに表示する。
【００３９】
［３：ＡＶＮシステムの構成］
次に、図１〜図４を用いて、図１に示したＡＶＮシステム１０の構成を説明する。同図に示すように、このＡＶＮシステム１０は、入力部１１と、出力部１２と、入出力制御ＩＦ部１３と、通信制御ＩＦ部１４と、記憶部１５と、制御部１６と、メディアドライブ１７とから構成される。
【００４０】
このうち、入力部１１は、各種の情報の入力を受け付ける入力手段（キーボードやマウス、マイクなど）であり、出力部１２は、各種の情報を出力する出力手段（モニタやスピーカ、ディスプレイなど）であるが、本実施の形態では、両者を合わせてタッチパネルとして構成する。すなわち、かかるタッチパネルは、図３および図４に示すように、ユーザから各種の指示操作を受け付けるとともに、アプリ画像や壁紙を表示出力する。
【００４１】
入出力制御ＩＦ部１３は、これら入力部１１および出力部１２によるデータの入出力を制御する手段である。また、通信制御ＩＦ部１４は、ＡＶＮシステム１０とネットワークとの間でやり取りする各種情報（例えば、カーナビゲーションに利用される位置情報、カーオーディオで再生される音楽ファイルなど）に関する通信を制御する手段である。そして、メディアドライブ１７は、音楽ＣＤ、画像ＣＤ、地図ＤＶＤ、各種アプリケーションＣＤなどの各種メディア（ＣＤやＤＶＤなどの記憶媒体）を受け入れて入力する手段である。
【００４２】
記憶部１５は、制御部１６による各種処理に必要なデータおよびプログラムを格納する格納手段（記憶手段）であり、特に本発明を説明する上で関連するものとしては、カーナビゲーションアプリやカーオーディオアプリなどの各種アプリケーション１５ａと、壁紙として設定可能な各種の壁紙画像１５ｂとを記憶する。
【００４３】
制御部１６は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、機能概念的に、動作操作監視部１６ａと、優先表示制御部１６ｂとを備える。
【００４４】
このうち、動作操作監視部１６ａは、アプリケーションの動作状況および当該アプリケーションに対するユーザの操作状況を監視する監視手段である。具体的には、「アプリ画像」が「壁紙」に優先してタッチパネルに表示されている場合（図３に示す各図参照）には、図２（ａ）に示す「壁紙優先条件」を満たすか否かを監視し、これとは反対に「壁紙」が「アプリ画像」に優先してタッチパネルに表示されている場合（図４に示す各図参照）には、図２（ｂ）に示す「アプリ画像優先条件」を満たすか否かを監視する。
【００４５】
ここで、かかる「壁紙優先条件」および「アプリ画像優先条件」について図２を用いて説明する。「壁紙優先条件」の一つとして、動作操作監視部１６ａは、「アプリ画像」が「壁紙」に優先してタッチパネルに表示されている場合に、アプリケーションに対するユーザの操作として「壁紙」を優先表示する旨が指示されたか否かを判定する。すなわち、ユーザから「壁紙」を優先表示する旨の指示がなされた状況をアプリ画像の表示が不要な状況であるとして、ユーザによる任意の指示操作に応じて「壁紙」を優先表示する趣旨であり、これによって、ユーザは快適に壁紙を観賞することが可能になる。
【００４６】
より具体的には、図３の各図に示すように、アプリ画像に含まれる「壁紙優先」ボタンを通じて、ユーザから「壁紙」を優先表示する旨の指示を受け付け、これが押下されたか否かによって、「壁紙優先条件」を満足するか否かを判定する。このように、タッチパネル上に表示されるアプリ画像に「壁紙優先」ボタンを設けることとした理由は、ユーザがアプリケーションに対して操作指示する要領で、簡便に壁紙を優先表示させることができるようにするためである。
【００４７】
さらに「壁紙優先条件」の一つとして、動作操作監視部１６ａは、アプリケーションに対するユーザの無操作状態が所定時間（例えば、１０秒）継続したか否かを判定する。すなわち、無操作状態が所定時間継続した状況をアプリ画像の表示が不要な状況であるとして、ユーザによる任意の指示操作を待つことなく自動的に「壁紙」を優先表示する趣旨であり、これによって、ユーザは快適に壁紙を観賞することが可能になる。
【００４８】
より具体的には、図３の各図に示すように、アプリ画像には各種の操作系ボタン（上記の「壁紙優先」ボタンも含む。）が表示されるが、これらの操作系ボタンが所定時間に渡って押下されていない状況にあるか否かによって、「壁紙優先条件」を満足するか否かを判定する。なお、かかる所定時間は、アプリケーションごとにその特性に応じて予め設定してもよく、若しくは、ユーザが自由に設定するようにしてもよい。
【００４９】
これらとは反対に、「アプリ画像優先条件」の一つとして、「壁紙」が「アプリ画像」に優先してタッチパネルに表示されている場合には、動作操作監視部１６ａは、アプリケーションに対するユーザの操作としてアプリ画像を優先表示する旨が指示されたか否かを判定する。すなわち、アプリ画像を優先表示する旨の指示がユーザからなされた状況をアプリ画像の表示が必要な状況であるとして、ユーザによる任意の指示操作に応じてアプリ画像を優先表示（復帰表示）する趣旨であり、これによって、ユーザはアプリケーションを快適に利用することが可能になる。
【００５０】
より具体的には、図４（ａ）〜（ｃ）に示す各図を例に挙げると、壁紙の全域を通じてユーザから「アプリ画像」を優先表示する旨の指示を受け付け、壁紙の全域のいずれかが押下（タッチ）されたか否かによって、「アプリ画像優先条件」を満足するか否かを判定する。このように、タッチパネルのどの箇所でも一度タッチすればよいこととした理由は、ユーザが簡便かつ早急にアプリ画像を優先表示させることができるようにするためである。
【００５１】
なお、「アプリ画像」を優先表示する旨の指示は、必ずしもタッチパネルの全域を通じて受け付ける必要はなく、図４（ｄ）に示すように、壁紙を背景にして表示されるボタン（「ナビゲーション優先」ボタンや「ミュージック優先」ボタン）を通じて受け付けるようにしてもよい。
【００５２】
さらに、「アプリ画像優先条件」の一つとして、動作操作監視部１６ａは、ナビゲーションアプリが地図情報の所定位置に対応した位置情報を取得したか否か（つまり、自動車がナビゲーションのルート外に位置するか、自動車がナビゲーションのルート分岐点に位置するか等）を判定する。すなわち、例えば、自動車がナビゲーションによるルートを外れた状況やルートの分岐点（交差点）に差し掛かった状況などをアプリ画像（ナビゲーション画面）の表示が必要な状況であるとして、ユーザによる任意の指示操作を待つことなくアプリ画像（ナビゲーション画面）を優先表示（復帰表示）する趣旨であり、ユーザはアプリケーションを快適に利用することが可能になる。
【００５３】
また、動作操作監視部１６ａは、「アプリ画像優先条件」の一つとして、オーディオアプリが音声メディアの所定位置に記録された情報を再生したか否か（つまり、音楽ＣＤの再生位置が曲間であるか、音楽ＣＤの全曲を再生したか等）を判定する。すなわち、例えば、音楽ＣＤの曲間に差し掛かった状況や音楽ＣＤの全曲再生が終了した状況などをアプリ画像（オーディオ画面）の表示が必要な状況であるとして、ユーザによる任意の指示操作を待つことなくアプリ画像（オーディオ画面）を優先表示する趣旨であり、これによって、ユーザはアプリケーションを快適に利用することが可能になる。
【００５４】
続いて、図１に戻り、制御部１６の優先表示制御部１６ｂについて説明すると、この優先表示制御部１６ｂは、動作操作監視部１６ａによる動作状況および操作状況の監視結果に応じて、「壁紙」または「アプリ画像」のいずれかをタッチパネルに優先して表示するように制御する優先表示制御手段である。
【００５５】
具体的には、「アプリ画像」が「壁紙」に優先してタッチパネルに表示されている状態（図３に示す各図参照）で、図２（ａ）に示す「壁紙優先条件」を満足する旨が動作操作監視部１６ａによって判定された場合には、図４に示すように、「アプリ画像」に優先して「壁紙」をタッチパネルに表示する。これとは反対に、「壁紙」が「アプリ画像」に優先してタッチパネルに表示されている状態（図４に示す各図参照）で、図２（ｂ）に示す「アプリ画像優先条件」を満足する旨が動作操作監視部１６ａによって判定された場合には、図３に示すように、「壁紙」に優先して「アプリ画像」をタッチパネルに表示する。
【００５６】
ここで、かかる「優先表示」の表示態様について図３および図４を用いて説明する。まずは一つの表示態様として、優先表示制御部１６ｂは、壁紙をアプリ画像に優先して表示する場合には、図４（ａ）や同図（ｄ）に示すように、アプリ画像を非表示にして、壁紙のみを表示するように制御する。すなわち、アプリ画像（例えば、操作系ボタンやアイコン、ナビゲーション画面、オーディオ画面など）を画面上から完全に隠す趣旨であり、これによって、ユーザは観賞画像（壁紙）を快適に観賞することが可能になる。なお、これと同趣旨の表示態様として、アプリ画像を壁紙に優先して表示する場合には、図３（ａ）〜（ｃ）に示すように、壁紙を非表示にして、アプリ画像のみを表示するように制御する。
【００５７】
これとは別の表示態様として、優先表示制御部１６ｂは、壁紙をアプリ画像に優先して表示する場合には、図４（ｂ）や同図（ｃ）に示すように、壁紙の表示サイズに対してアプリ画像の内容を要約または圧縮して縮小表示するように制御する。すなわち、アプリケーションの動作状況（例えば、ナビゲーションの現在位置、音楽ＣＤの再生状況など）を縮小表示する趣旨であり、これによって、ユーザはアプリケーションの動作状況を把握しつつ、観賞画像（壁紙）を快適に観賞することが可能になる。なお、これと同趣旨の表示態様として、アプリ画像を壁紙に優先して表示する場合には、図３（ｄ）に示すように、壁紙を背景にして、その上にアプリ画像を表示するように制御する。
【００５８】
［４：ＡＶＮシステムによる処理（動作操作監視処理、優先表示制御処理）］
次に、図５を用いて、ＡＶＮシステム１０による処理（動作操作監視処理、優先表示制御処理）を説明する。図５は、動作操作監視処理および優先表示制御処理の流れを示すフローチャートである。
【００５９】
同図に示すように、ＡＶＮシステム１０が起動されると（ステップＳ５０１肯定）、ＡＶＮシステム１０は、最初にアプリ画像をタッチパネルに優先表示する（ステップＳ５０２）。つまり、起動直後には、図３（ａ）または同図（ｄ）に示すようなメニュー画面を表示し、かかるメニュー画面に対する操作に応じて、同図（ｂ）に示すようなナビゲーション画面や同図（ｃ）に示すようなオーディオ画面を表示する。
【００６０】
そして、このように「アプリ画像」が「壁紙」に優先してタッチパネルに表示されている場合において、動作操作監視部１６ａは、図２（ａ）に示す「壁紙優先条件」を満足するか否かを監視する（ステップＳ５０３）。つまり、「壁紙」に優先して「アプリ画像」がタッチパネルに表示されている間、図３の各図に示した「壁紙優先」ボタンが押下されたか否か、さらに、同図に示した操作系ボタンが所定時間に渡って押下されていない状況であるか否か等を継続的に判定する。
【００６１】
この判定の結果、図２（ａ）に示す「壁紙優先条件」を満足した場合には（ステップＳ５０３肯定）、優先表示制御部１６ｂは、「アプリ画像」に優先して「壁紙」をタッチパネルに表示する（ステップＳ５０４）。つまり、図４（ａ）や同図（ｄ）に示すように、アプリ画像を非表示にして壁紙のみを表示し、または、図４（ｂ）や同図（ｃ）に示すように、壁紙の表示サイズに対してアプリ画像の内容を要約または圧縮して縮小表示する。
【００６２】
そして、このように「壁紙」が「アプリ画像」に優先してタッチパネルに表示されている場合において、動作操作監視部１６ａは、図２（ｂ）に示す「アプリ画像優先条件」を満足するか否かを監視する（ステップＳ５０５）。つまり、「アプリ画像」に優先して「壁紙」がタッチパネルに表示されている間、図４（ａ）〜（ｃ）に示した壁紙の全域のいずれかが押下（タッチ）されたか否か、図４（ｄ）に示した「ナビゲーション優先」ボタンや「ミュージック優先」ボタンが押下されたか否か、自動車がナビゲーションのルート外に位置するか、自動車がナビゲーションのルート分岐点に位置するか、音楽ＣＤの再生位置が曲間であるか、音楽ＣＤの全曲を再生したか等を継続的に判定する。
【００６３】
この判定の結果、図２（ｂ）に示す「アプリ画像優先条件」を満足した場合には（ステップＳ５０５肯定）、ステップＳ５０２の処理に戻り、優先表示制御部１６ｂは、「壁紙」に優先して「アプリ画像」をタッチパネルに表示する（ステップＳ５０２）。そして、ＡＶＮシステム１０は、このような動作操作監視処理および優先表示制御処理を、システム電源がオフになるまで繰り返す。
【００６４】
上記した一連の処理を通じて、ＡＶＮシステム１０では、「アプリ画像」を表示する必要がある場合（図２（ｂ）に示す「アプリ画像優先条件」を満たす場合）には、図３に示すように、「壁紙」よりも「アプリ画像」を優先してユーザに表示する。その一方で、「アプリ画像」を表示する必要が特にない場合（図２（ａ）に示す「壁紙優先条件」を満たす場合）には、図４に示すように、「アプリ画像」よりも「壁紙」を優先してユーザに表示する。したがって、ユーザは快適に壁紙を楽しむことが可能になるとともに、ユーザは壁紙によって利便性を損なわれることなくアプリケーションを利用することも可能になる。
【００６５】
［５：他の実施の形態］
さて、これまで本発明の実施の形態について説明したが、本発明は上述した実施の形態以外にも、上記特許請求の範囲に記載した技術的思想の範囲内において種々の異なる実施の形態にて実施されてもよいものである。そこで、以下に示すように、（１）優先条件、（２）システム構成等、（３）プログラム等、にそれぞれ区分けして異なる実施の形態を説明する。
【００６６】
（１）優先条件
本実施の形態において、図２に示した「壁紙優先条件」および「アプリ画像優先条件」はあくまでも一例であり、例えば、ユーザからの指示操作のみを優先条件として設定したり、他のアプリケーション（メールアプリ、ラジオチューナ、Ｗｅｂブラウザなど）に係る優先条件を設定するなど、アプリケーションの動作状況や当該アプリケーションに対するユーザの操作状況に対応付けて任意に優先条件を設定することができる。
【００６７】
また、本実施の形態では、上記したような優先条件を満たすか否かのみを判定する場合を説明したが、本発明はこれに限定されるものではなく、アプリケーションが所定の動作状態にあって壁紙を優先表示するべきではない場合には「壁紙優先条件」を満たしても壁紙を優先表示しないなど、各優先条件に関連づけて禁則条件を設定することで、多段に判定を行うようにしてもよい。
【００６８】
（２）システム構成等
本実施の形態では、タッチパネル上で「壁紙」や「アプリ画像」を優先表示する旨の指示を受け付ける場合を説明したが、本発明はこれに限定されるものではなく、例えば、タッチパネルの枠に設けた押しボタンやマイクなど、あらゆる入力手段を介して指示を受け付ける場合に同様に適用することができる。
【００６９】
また、本実施の形態では、入力部１１および出力部１２を合わせてタッチパネルを構成する場合を説明したが、本発明はこれに限定されるものではなく、例えば、キーボードやコントローラなどの入力部１１と、モニタやディスプレイなどの出力部１２といったように、両者を別々に構成するようにしてもよい。
【００７０】
また、本実施の形態では、オーディオ一体型カーナビゲーションシステム（ＡＶＮシステム）に本発明を適用した場合を説明したが、本発明はこれに限定されるものではなく、車載用の各種の情報処理装置はもちろんのこと、既知のパーソナルコンピュータ、ワークステーション、携帯電話、ＰＨＳ端末、移動体通信端末またはＰＤＡなど、観賞画像（壁紙）およびアプリ画像を表示するあらゆる情報処理装置に同様に適用することができる。
【００７１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００７２】
さらに、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００７３】
（３）プログラム等
本実施の形態で説明した表示制御方法は、あらかじめ用意されたプログラムをパーソナルコンピュータやワークステーションなどのコンピュータの他に、特に車載のコンピュータ（外付けのコンピュータも含む。）で実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【００７４】
【発明の効果】
以上説明したように、請求項１の発明によれば、ユーザによる任意の指示操作に応じて観賞画像（壁紙）を優先表示することによって、ユーザは快適に観賞画像（壁紙）を楽しむことが可能になる。
また、操作系ボタンやアイコン、メニュー画面の画像を画面上から隠すことによって、ユーザは観賞画像（壁紙）を快適に観賞することが可能になる。さらに、アプリケーションの現在の動作状況を把握しつつ、背景画像を快適に鑑賞することが可能になる。
【００７５】
また、請求項２の発明によれば、ユーザはアプリケーションに対して操作指示する要領で、簡便に観賞画像（壁紙）を優先表示させることが可能になる。
【００７６】
また、請求項３の発明によれば、アプリ画像（例えば、操作系ボタンやアイコン、ナビゲーション画面、オーディオ画面など）を表示する必要がある場合には、アプリ画像を優先表示するが、これを表示する必要が特にない場合には、観賞画像（壁紙）を優先表示することによって、ユーザは快適に観賞画像（壁紙）を楽しむことが可能になるとともに、ユーザは観賞画像（壁紙）によって利便性を損なわれることなくアプリケーションを利用することも可能になる。
【００７７】
また、請求項４の発明によれば、無操作状態が所定時間継続した状況をアプリ画像の表示が不要な状況であるとして、観賞画像（壁紙）を優先表示することができ、これによって、ユーザは快適に観賞画像（壁紙）を観賞することが可能になる。
【００８０】
また、請求項５の発明によれば、ユーザによる任意の指示操作に応じてアプリ画像（例えば、操作系ボタンやアイコン、ナビゲーション画面、オーディオ画面など）を表示することによって、ユーザは観賞画像（壁紙）によって利便性を損なうことなくアプリケーションを利用することが可能になる。
【００８１】
また、請求項６の発明によれば、タッチパネルを一度タッチすればアプリ画像を優先表示させることができ、ユーザの操作が簡便となり、かつ早急にアプリ画像を優先表示することが可能になる。
【００８２】
また、請求項７の発明によれば、例えば、自動車がナビゲーションによるルートを外れた状況やルートの分岐点（交差点）に差し掛かった状況などをアプリ画像（ナビゲーション画面）の表示が必要な状況であるとして、アプリ画像（ナビゲーション画面）を優先表示することによって、ユーザはアプリケーションを快適に利用することが可能になる。
【００８３】
また、請求項８の発明によれば、例えば、音楽ＣＤの曲間に差し掛かった状況や音楽ＣＤの全曲再生が終了した状況などをアプリ画像（オーディオ画面）の表示が必要な状況であるとして、アプリ画像（オーディオ画面）を優先表示することによって、ユーザはアプリケーションを快適に利用することが可能になる。
【００８４】
また、請求項９の発明によれば、押しボタンを一度操作すればアプリ画像を優先表示させることができ、ユーザの操作が簡便となり、かつ早急にアプリ画像を優先表示することが可能になる。
【図面の簡単な説明】
【図１】  本実施の形態に係るＡＶＮシステム（オーディオ一体型カーナビゲーションシステム）の構成を示すブロック図である。
【図２】  動作操作監視処理および優先表示制御処理を説明するための図である。
【図３】  タッチパネルに優先表示されるアプリ画像の一例を示す図である。
【図４】  タッチパネルに優先表示される壁紙の一例を示す図である。
【図５】  動作操作監視処理および優先表示制御処理の流れを示すフローチャートである。
【符号の説明】
１０  オーディオ一体型カーナビゲーションシステム（ＡＶＮ）
１１  入力部
１２  出力部
１３  入出力制御ＩＦ部
１４  通信制御ＩＦ部
１５  記憶部
１５ａ  各種アプリケーション
１５ｂ  壁紙画像
１６  制御部
１６ａ  動作操作監視部
１６ｂ  優先表示制御部
１７  メディアドライブ
【図１】
0004541660.tif 000002
【図２】
0004541660.tif 000003
【図３】
0004541660.tif 000004
【図４】
0004541660.tif 000005
【図５】
0004541660.tif 000006